(57)【要約】【課題】従来のタオル織物や布帛において、織成ができる隙間の形状は縦と横の直線状に限定されるので、レース柄のような色々な図形の隙間部分がある透かし柄の表現はできなかった。【解決手段】レース柄を表現する透かし柄地とタオル地（ベース地）とを重合状態で織成し、透かし柄地の隙間は任意の透かし柄地用の経糸、緯糸をタオル地（ベース地）に織り込み、色々な図形を表現し維持したこの多重織部分と、なお且つ、同時にこれと隣接した多重織部分以外の経糸と上記の多重織部分に使用した緯糸を兼用して織成された一重織のタオル地（ベース地）部分とが組み合わされるので、該多重織部分の結着はより強固となり、また、機能性と装飾性を兼備した織物が提供できる。【選択図】図１
2014211003.tif 000002
【特許請求の範囲】
【請求項１】
パイル経糸と地経糸と透かし柄地用経糸とを任意の本数で組み合わせたものを繰り返し縦方向に向けて配列し、その内の任意個所においてタオル地用緯糸と透かし柄地用緯糸を夫々、横方向に向けて任意本数ずつ交互に織り込みタオル地と透かし柄地とが重合状態で織成され、この時の透かし柄地の隙間部分にあっては、任意個所の透かし柄地用の経糸か緯糸か両者をタオル地内に織り込まれてある。以上のように任意形状で構成された多重織の部分と、なお且つ、同時に該多重織部分と隣接した多重織部分以外のパイル経糸と地経糸と透かし柄地用経糸は、上記の多重織部分に使用した両者の緯糸を兼用し、該両者の緯糸の合計が任意本数の単位で１個のパイルを形成するように織成された一重織のタオル地部分とが組み合わされている、透かし柄地を合わせた多重織物。
【請求項２】
パイル経糸と地経糸と透かし柄地用経糸とを任意の本数で組み合わせたものを繰り返し縦方向に向けて配列したものに、タオル地用緯糸と透かし柄地用緯糸を夫々、横方向に向けて任意本数ずつ交互に織り込みタオル地と透かし柄地が重合状態で織成され、この時の透かし柄地の隙間部分にあっては、任意個所の透かし柄地用の経糸か緯糸か、両者をタオル地内に織り込まれてある。以上のような横一直線で帯状の多重織部分が織成されて、なお且つ、その前方又は後方には、上記のパイル経糸と地経糸と透かし柄地用経糸にタオル地用緯糸を３本（又は４本）で１個のパイルが形成する一重織のタオル地が織成されてある、透かし柄地を合わせた多重織物。
【請求項３】
地織の布帛であって、全経糸をベース地用経糸と透かし柄地用経糸とに区分し、なお且つ、交互に縦方向に向けて配列した内の任意個所において、ベース地用緯糸と透かし柄地用緯糸を夫々、横方向に向けて交互に織り込み、ベース地と透かし柄地とが重合状態で任意形状の多重織部分が織成され、この時の透かし柄地の隙間部分にあっては、任意個所の透かし柄地用の経糸か緯糸か両者をベース地内に織り込まれてある。そして、以上の多重織の部分と、なお且つ、同時にこれと隣接した多重織部分以外のベース地用経糸と透かし柄地用経糸は、上記の多重織部分に使用した両者の緯糸を兼用して織り込まれた一重織のベース地部分とが組み合わされている、透かし柄地を合わせた多重織物。
【発明の詳細な説明】
【技術分野】
【０００１】  本発明は、機能性を持つタオル（又は布帛）地部分と、該タオル（又は布帛）地に装飾性を有するレースのような透かし柄地を重ねた多重織部分とが同時に隣接して織成された実用的で高級感のある織物に関する。
【背景技術】
【０００２】  従来のタオル織物や布帛等においては、レースのような隙間部分を作るには予め、企画案に基づいて縦方向に配列された全経糸の内、隙間部分として決定された所定位置の経糸を除去して縦一直線状の隙間部分を確保する。そして、横方向に対しての隙間部分は任意の個所に想定する長さ分の緯糸の挿入本数を織り込まないように空織すれば、横一直線状の隙間部分ができる。この様に隙間部は縦と横の直線状の形状に限定されるので、レース柄のような色々な図形の表現はできずレース様の織物は製品化されなかった。【０００３】  その為、直接レース生地を適当な大きさに裁断してタオル（又は布帛）地等に縫製し、高級感を持たせた製品が提供されていた。
【発明の概要】
【発明が解決しようとする課題】
【０００４】  従来のレース生地をタオル地や布帛に縫い付けた製品においては、縫製工程があり、時間と手間を要し、レース代も含めコスト高となる。また、レース柄は既製のレース生地より選択するのでおのずと限定があり、企画する思い通りの柄の表現は制限される。また、洗濯した場合レース部分にシワ等が生じて美観を損ねるものであった。また、使用にあたりレース生地は特有のゴツゴツとした固い感触があるので、顔などを拭く場合には顔にあたると不快感が生じて実用向きではなかった。【０００５】  本発明は、このような従来のレース生地を縫い付ける縫製工程とその製品により生じる問題を解決しようとするものであり、なお且つ、レースの特長を付与した高級感のあるタオル織物や布帛製品を織成織物によって実現することを目的とするものである。
【課題を解決するための手段】
【０００６】  上記目的を達成する為に第１の課題解決手段として、従来のレース生地を直接タオル織物や布帛に縫製して高級化をはかっていた方法を廃止する事で、縫製工程とその製品による問題点を解消するものである。【０００７】  そして、上述の廃止されたその代替となる本発明の織成織物が本来の解決手段となり、次の構成を有する。【０００８】  本願請求項１の発明は、パイル経糸と地経糸と透かし柄地用経糸とを任意の本数で組み合わせたものを繰り返し縦方向に向けて配列し、その内の任意個所において、タオル地用緯糸と透かし柄地用緯糸を夫々、横方向に向けて任意本数ずつ交互に織り込みタオル地と透かし柄地とが重合状態の多重織で構成され、該透かし柄地用の現出側の経糸と緯糸は透かし柄地としてレース柄の全容を表わし、レース柄の隙間の中空表現は該中空部分に位置する透かし柄地用の経糸か、緯糸か、両者を潜伏側の糸としてもう一方のタオル地内に織り込み存続するので、重合状態の結着や、透かし柄地の織組織も強固となり、表現が維持できた。
この様に、任意形状で構成された多重織の部分と、
なお且つ、同時にこれと隣接した多重織部分以外のパイル経糸と地経糸と透かし柄地用経糸は、上記の多重織部分に使用した両者の緯糸を兼用し、該緯糸の合計が任意本数の単位で例えば６本又は８本で１個のパイルを形成するように織成された一重織のタオル地部分とが組み合わされている。該多重部分は一重織へと継続し、一体化して織成されるので多重部分の縁辺の結着は強固で、織物全体も厚地となり織組織も強化できた。また、タオル地も経、緯糸密度が増してパイル抜けの抑制作用が強く働く。【０００９】  本願請求項２の発明は、上述の請求項１の重合された多重織部分が、横一直線の帯状で織成され、その前方又は、後方には、該帯状の多重織に使用の継続した全経糸にタオル地用緯糸を３本又は４本で１個のパイルを形成するように一重織のタオル地を組み合わせ織成してあるので、経糸密度は通常のパイル地より増加してあり、パイル抜けの抑制作用は高まる。そして、請求項１と比べ、レース柄の表現は帯状で少なく押えられて、タオル地も緯糸３本又は４本で１パイル形成であるので生産性は向上し、その分価格を抑えた製品が提供できる。【００１０】  本願請求項３の発明は、地織の布帛であって全経糸をベース地用と透かし柄地用の経糸に区分し、なお且つ、交互に縦方向に向けて配列した内の任意個所において、ベース地用と透かし柄地用の緯糸を横方向に向けて交互に織り込み、ベース地と透かし柄地とが重合状態の多重織で構成され、該透かし柄地用の現出側の経糸と緯糸は透かし柄地としてレース柄の全容を表わし、レース柄の隙間の中空表現は該中空部分に位置する透かし柄地用の経糸か、緯糸か、両者を潜伏側の糸として、もう一方のベース地内に織り込み存続するので重合状態の結着や、透かし柄地の織組織も強固となり、表現が維持できた。
以上の多重織部分と、
なお且つ、同時にこれと隣接した多重織部分以外のベース地用経糸と透かし柄地用経糸は上記の多重織部分に使用した両者の緯糸を兼用して織成された一重織のベース地へと継続して一体化されるので、その多重織の縁辺の結着は強固となり、また、薄地のベース地に透かし柄地が加えられて高級感のある衣料用等に適した生地が提供できる。
【発明の効果】
【００１１】  本発明の織成織物により、レース地を縫い付ける工程が廃止できるので、生産性は向上し、コストも削減できた。
また、レース柄は透かし柄地の多重織で織成するので自在の表現が可能となった。
そして、透かし柄地部分は洗濯しても美観は保たれ、触感も気にならない。【００１２】  上述の多重織の緯糸は兼用されて、経糸は継続して一重織のタオル地又は、ベース地内に織り込まれてあるので、重合部分の縁辺の結着は強固となり、該タオル地は高密度となりパイル抜けの抑制効果がある。
そして、透かし柄地の隙間部の経・緯糸はもう一方の重なり合ったタオル地又は、ベース地内に織り込まれるので、隙間部分の空間表現と結着や織組織は安定して維持できる。【００１３】  上述の多重織部分が横一直線の帯状で、織範囲が少なく、また組み合わせのタオル地も緯糸３本又は、４本で１パイル形成であるので生産効率は良く、高級志向の製品に拘らず、量産型の低価格製品に準じることができる。【００１４】  上述の地織の布帛にあっては、薄地で形成されてベース地に透かし柄地が重ね合っているので高級志向の衣料用生地が提供できる。【００１５】  また、吸水性や保温性等の機能性を持つタオル（又は布帛）地と、涼感や優雅な装飾性を有する透かし柄地とを一体化して高級感と実用性を兼備えた織物を提供できる。
【図面の簡単な説明】
【００１６】
【図１】  本発明の実施形態を示す、透かし柄地側より見た斜視図である。
【図２】  （ア）、（イ）は夫々、本発明の実施形態を示す、織前より見た筬通しの要部断面図である。
【図３】  同、多重織部分の縦断面図である。
【図４】  図３の変形例の縦断面図である。
【図５】  本発明の実施形態を示す、多重織部分と一重織のタオル地（又は隙間）部分の縦断面図である。
【図６】  図２の（ア）と図５に示す組織図。
【図７】  図５の変形例の縦断面図である。
【図８】  図５の変形例の縦断面図である。
【図９】  図５の変形例で４ピック方式の縦断面図である。
【図１０】  本発明の実施形態を示す、帯状の透かし柄地より見た斜視図である。
【図１１】  同、織前より見た筬通しの要部断面図。
【図１２】  同、多重織部分と一重織のベース地部分の縦断面図である。
【発明を実施する為の形態】
【００１７】  以下、本発明の実施の形態を図１〜図１２に基づいて説明する。
【００１８】  図２の（ア）に示す、本願の透かし柄地を合わせた多重織物の織り仕掛けから説明すると、（織物の両端部を始末する耳部分の地経糸は省略する）経通しされた筬１３を織前から見て右端より１番目の筬目１４には、パイル経糸１を１本と地経糸２を１本と透かし柄地用経糸３の１本が経通しされ、２番目の筬目１４Ａにも同様に、パイル経糸１Ａを１本と地経糸２Ａを１本と透かし柄地用経糸３Ａの１本が通してあり、これら２つの筬目１４・１４Ａ分で１完全となり、これらが繰り返し配列されて織り仕掛けとなる。
【００１９】  続いて図１、図３に示す、緯糸３本で１個のパイルを形成する３ピック方式による両面パイルであって、任意のパイル経糸１・１Ａと地経糸２・２Ａにタオル地用緯糸５を１本、２本、３本目と交錯させる。この時、織機のパイル織・地織の転換装置を紋紙の指令により、パイル織にして両面パイルのタオル地８を織成し、次に地織指令にして地織とし、透かし柄地用経糸３・３Ａに透かし柄地用緯糸６を１本、２本、３本目と交錯し、透かし柄地９を織成する。そして、これらを交互に繰り返すことにより、タオル地８と透かし柄地９とが重合状態の多重織１２部分が織成できる。
なお、タオル地８と透かし柄地９は交互に織成するが、その交替時に筬間（筬打ち時に緯糸を充分に寄せきれずにできた隙間のこと）が生じるので、その透かし柄地９が織成される時には並行して織機の巻き取り停止装置を作動させて、緯密度を高めて筬間を防止する。
【００２０】  そして、該透かし柄地の隙間１１部分の中空の表現は、該中空に位置する任意の透かし柄地用経糸３・３Ａと緯糸６を表面から潜伏する様にもう一方のタオル地８内に交錯する。
上記の潜伏させる経糸３・３Ａは、同じ筬目１４・１４Ａ内に通るタオル地を構成する地経糸２・２Ａの織組織に同調させる。この同調させる開始タイミングは図５に示す。次に織成される地経糸２・２Ａの緯糸５が３本目の織組織より行ない、直後にタオル地用緯糸５の３本目が織り込まれるとファーストピックで筬打ちされて１個のパイルが形成される。そして、この同位置の緯糸５の３本目内に連続して同じく潜伏させる透かし柄地用緯糸６を１本、２本、３本目と連続して、地織で巻き取りを停止にして交錯させる。次にパイル経糸１・１Ａと地経糸２・２Ａに透かし柄地用経糸３・３Ａを加えたものに、タオル地用緯糸５を１本、２本、３本目と交錯してパイル織のタオル地８（一重織）部分を織成する。このようにして、潜伏させたい任意の透かし柄地用の経・緯糸をタオル地８内に交錯させる。（この時のタオル地８は一重織となる。）また、図５に示すように、この時の透かし柄地の隙間１１からタオル地８のパイルの経糸１が現出して見えるのが気になる場合は、パイル経糸１をパイル経糸１Ａの織組織に同調させればよい。
そして、該潜伏させた透かし柄地用の経・緯糸を元の透かし柄地９の表面に移動させるタイミングは、上述の開始タイミングと同じでよい。この隙間１１部分の一重織のタオル地８と後述の一重織のタオル地８（緯糸５・６を兼用した）の織成方法は、基本的には共通するものである。
【００２１】  以上のように図１、図５、図６に示す、任意形状で構成された多重織１２部分と、なお且つ、同時にこれと隣接する多重織１２部分以外のパイル経糸１・１Ａと地経糸２・２Ａと透かし柄地用経糸３・３Ａは、上記の多重織１２部分に使用した両者の緯糸５・６を兼用するので、その内の透かし柄地用の緯糸６の３本は、該透かし柄地を織るすぐ前にパイルが形成されたタオル地８の緯糸３本目の同組織内に織り込み、続いて次にくるタオル地用織組織にタオル地用緯糸５を１本、２本、３本目と織り込み、ファーストピックで筬打ちして１個のパイルを形成し、これらを繰り返し織成された一重織のタオル地８部分とが組み合わされている。
この時の一重織のタオル地８の透かし柄地用経糸３・３Ａは、同じ筬目１４・１４Ａに通る地経糸２・２Ａの織組織と同調して織成するので、上述の透かし柄地の隙間１１部分と基本的には同じような織組織となる。
【００２２】  また、図４は図３の変形例を示すものであり、他の実施例として、パイル経糸１・１Ａと地経糸２・２Ａにタオル地用緯糸５を１本、２本、３本目と交錯させて上述と同様にパイル織でタオル地８を織成し、次に地織でパイル経糸１・１Ａと地経糸２・２Ａに透かし柄地用緯糸６の１本目だけをタオル地８に潜伏するように交錯し、パイル逃げを押えると共に、透かし柄地の緯糸密度を１本分減じて隙間１１を作る働きもする。そして、次の該緯糸６の２本目と３本目は透かし柄地用経糸３・３Ａとだけ交錯させて透かし柄地９を織成する。そして、これらを交互に繰り返し多重織１２部分が織成できる。ですから、透かし柄地の隙間１１を広くするには該隙間１１の中空に位置する透かし柄地緯糸６を１本目だけでなく、次の２本目、３本目とタオル地８内に潜伏するように交錯すればよい。また、これを繰り返すことでなお、広い隙間がとれる。
【００２３】  また、図７に示す、他の実施例として任意の個所の潜伏させたい透かし柄地用緯糸６は、該緯糸６のすぐ前のタオル地８の緯糸３本目の同組織内において、該緯糸６の１本目は、地経糸２とパイル経糸１Ａの間に、２本目は地経糸２Ａとパイル経糸１との間に、３本目は地経糸２と２Ａの間に、又は１本目と同じように織り込むこともできる。また、後述する一重織のタオル地８の緯糸６の３本を織り込む他の実施例にもなり、このように応用する場合は、筬打ち力の弱い織機に適している。
【００２４】  また、図２の（イ）に示す他の実施例として、織前から見て右端より１番目の筬目１４にはパイル経糸１を１本と地経糸２を１本が、２番目には透かし柄地用経糸３を１本と地経糸２Ａを１本（又は、この逆でもよい）が、３番目にはパイル経糸１Ａを１本と地経糸２Ｂを１本が、４番目には透かし柄地用経糸３Ａを１本と地経糸２Ｃを１本（又はこの逆でも可）が通り、以上の４つの筬目１４・１４Ａ・１４Ｂ・１４Ｃで一完全をなし、これらが繰り返されて本願の織仕掛けとなる。そして、上述の３ピック方式と同様に、パイル経糸１・１Ａと地経糸２・２Ａ・２Ｂ・２Ｃにタオル地用緯糸５を１本、２本、３本目と交錯させてパイル織のタオル地８を織成し、次に地織で透かし柄地用経糸３・３Ａに透かし柄地用緯糸６を１本、２本、３本目と交錯し、この時、巻き取りも停止して透かし柄地９を織成し、これらを交互に繰り返して、タオル地８と透かし柄地９とが重合した多重織１２部分が織成できる。
【００２５】  そして、透かし柄地の隙間１１部分にあっては、その隙間１１の中空に位置する任意の透かし柄地用経糸３・３Ａは、同じ筬目１４Ａ・１４Ｃ内に通る地経糸２Ａ・２Ｃの織組織に同調させる。この同調させる始まりは次に織成される地経糸２・２Ａ・２Ｂ・２Ｃの緯糸３本目の織組織から行なう。また、この同位置には上述と同様に潜伏させたい任意の透かし柄地用緯糸６も織り込み、これら両者の形態を図８に示す。以上のように図１、図８に示した上述と同様に任意形状の多重織１２部分と、なお且つ同時にこれと隣接する多重織１２部分以外のパイル経糸１・１Ａと地経糸２・２Ａ・２Ｂ・２Ｃと透かし柄地用経糸３・３Ａは、上記の多重織１２部分に使用した両者の緯糸５・６を兼用して織成された一重織の片面パイルのタオル地８部分とが組み合わされている。
そして、図２の（イ）に示す、同じ筬目１４Ａ・１４Ｃ内に位置する透かし柄地用経糸３・３Ａと地経糸２Ａ・２Ｃは、任意の個所で役目を交替させたり、透かし柄地用経糸３・３Ａが地経糸２Ａ・２Ｃに同調して、透かし柄地用経糸３・３Ａは０本となったり、この逆の透かし柄地用経糸３・３Ａに地経糸２Ａ・２Ｃが同調して、透かし柄地用経糸３・３Ａは２本となる等して、透かし柄地の柄や隙間の表現に幅を持たせることができる。（図示しない）
【００２６】  また、図２の（ア）に基づいて、図９に示す他の実施例として、パイル経糸１・１Ａと地経糸２・２Ａにタオル地用緯糸５を１本、２本、３本、４本目と交錯させて１パイル形成する４ピック方式で上述と同様にパイル織で片面パイルのタオル地８を織成し、次に上述と同様の地織で透かし柄地用経糸３・３Ａに透かし柄地用緯糸６を１本、２本、３本、４本目と交錯し、この時、巻き取りも停止して透かし柄地９を該タオル地８のパイルが現出していない面側に重なるようにこれらを交互に繰り返して織成し、多重織１２部分ができる。この時の透かし柄地の隙間１１部分の中空に位置する任意の透かし柄地用経糸３・３Ａと緯糸６をもう一方のタオル地内に交錯し、潜伏させる。そして、上述と同様に並行して多重織１２部分に使用した両者の緯糸５・６を兼用してパイル経糸１・１Ａと地経糸２・２Ａと透かし柄地用経糸３・３Ａに交錯し、織成した一重織の片面パイルのタオル地８の織組織は、上記の隙間１１部分の潜伏する経糸３・３Ａと緯糸６の両者の織組織にも共用できる。この４ピック方式の場合は、透かし柄地９の密度を増したい時に応用する。そして、多重織１２部分と一重織のタオル地８部分が組み合わされている。
【００２７】また、図２の（ア）、図５、図６に基づく次の図１０に示す実施例として、上述と同様にパイル織でパイル経糸１・１Ａと地経糸２・２Ａに３ピック方式でタオル地用緯糸５の３本を交錯させて１パイル形成するタオル地８を織成し、次に地織で巻き取りも停止させて透かし柄地用経糸３・３Ａに透かし柄地用緯糸６を交錯させて透かし柄地９を織成し、これらを交互に繰り返してタオル地８と透かし柄地９とが重合状態の横一直線上で織前と平行した帯状の多重織１２部分が織成される。この時の透かし柄地の隙間１１にあっては、該隙間１１の中空に位置する任意の透かし柄地用経糸３・３Ａは、同じ筬目１４・１４Ａ内に通る地経糸２・２Ａの織組織に同調させる。この同調の開始は、次に織成される地経糸２・２Ａの緯糸３本目の織組織から行なう。また、この同位置には上述と同様に潜伏させたい任意の透かし柄地用緯糸６も織り込む。そして、帯状の多重織１２部分の領域より前方に、パイル織で織成した通常のタオル地を組み合わせたものである。
この為、生産効率の良い高級化製品を提供できる。
【００２８】  また、図１２に示す実施例は、タオル織機による通常のタオルの織使用で実施する。図１１は、通常のパイル経糸の呼称を透かし柄地用経糸３・３Ａに、地経糸の呼称をベース地用経糸４・４Ａに置き換えたものである。（前述の通り、耳部は省略している。）経通しされた筬１３を織前から見て右端から１番目の筬目１４には、透かし柄地用経糸３の１本とベース地用経糸４の１本が経通しされ、２番目の筬目１４Ａには透かし柄地用経糸３Ａを１本とベース地用経糸４Ａの１本が経通しされてあり、これら２つの筬目１４・１４Ａ分で１完全となり、これらが繰り返してある。そして、前述と同様に地織に転換させて、また、巻き取りも停止させて該ベース地用経糸４・４Ａにベース地用緯糸７の１本を交錯し、次に透かし柄地用経糸３・３Ａに透かし柄地用緯糸６の１本を交錯し、これらを交互に繰り返すことでベース地１０と透かし柄地９Ａが重合状態の多重織が織成される。
【００２９】  そして、透かし柄地９Ａの隙間部分の中空表現は、該中空部分に位置する透かし柄地用経糸３・３Ａと緯糸６を潜伏するように、もう一方のベース地１０内に織り込む。この時の透かし柄地用経糸３・３Ａは、夫々、同筬目１４・１４Ａ内のベース地用経糸４・４Ａに同調させる。なお、同調させるタイミングは次にくるベース地用の織組織に合わせて、ベース地用緯糸７を１本受け入れ、続いて同様に潜伏させたい透かし柄地用緯糸６を１本織り込む。そして、潜伏した透かし柄地用経糸３・３Ａを元の透かし柄地に戻すタイミングは、任意で次に織成しようとする透かし柄地用緯糸６と交錯できる織組織に同調させる。
以上の多重織１２Ａ部分と、なお且つ、これと隣接した多重織１２Ａ部分以外のベース地用経糸４・４Ａと透かし柄地用経糸３・３Ａは、上記の多重織部分に使用した両者の緯糸７・６が兼用されている。この場合のベース地用経糸４・４Ａと透かし柄地用経糸３・３Ａの織組織は、４・３は浮いて、４Ａ・３Ａは沈んだ位置に両者の緯糸７の１本と６の１本が交錯されて、次に４・３は沈んで、４Ａ・３Ａは浮いた位置にも同様に両者の緯糸７の１本と６の１本が交錯される。これらを交互に繰り返して一重織のベース地１０が織成されて、上記の多重織部分と組み合わされている。
ですから、レース柄様の高級感を加味した衣料用等に適した薄地の生地が提供できる。
【符号の説明】
【００３０】  １、１Ａ      パイル経糸
２、２Ａ、２Ｂ、２Ｃ  地経糸
３、３Ａ      透かし柄地用経糸
４、４Ａ      ベース地用経糸
５            タオル地用緯糸
６            透かし柄地用緯糸
７            ベース地用緯糸
８            タオル地
９、９Ａ      透かし柄地
１０          ベース地
１１、１１Ａ  隙間
１２、１２Ａ  多重織
１３          筬
１４、１４Ａ、１４Ｂ、１４Ｃ  筬目
【図１】
2014211003.tif 000003
【図２】
2014211003.tif 000004
【図３】
2014211003.tif 000005
【図４】
2014211003.tif 000006
【図５】
2014211003.tif 000007
【図６】
2014211003.tif 000008
【図７】
2014211003.tif 000009
【図８】
2014211003.tif 000010
【図９】
2014211003.tif 000011
【図１０】
2014211003.tif 000012
【図１１】
2014211003.tif 000013
【図１２】
2014211003.tif 000014